(57)【特許請求の範囲】
【請求項１】
センサや発信機等の防災端末機器の検出信号を受信して地図上に異常を表示する防災表示盤に於いて、
防排煙機器等の防災制御機器及び前記防災端末機器の設置場所を示す機器シンボルに加え、異常時に使用する消火機器や避難機器等の災害援助機器の設置場所を示す災害援助機器シンボルを配置した監視対象の地図情報をデータベースに登録して管理する地図情報管理部と、
前記異常時に異常発生場所を含む地図情報を前記データベースから読出して液晶ディスプレイ等の画面上に表示する地図情報表示部と、
前記異常時に前記地図情報表示部により表示された地図情報の中の異常を検出した防災端末機器の機器シンボルを通常監視時の色から異常時の色に変化させると共に、前記異常を検出した防災端末機器の近傍に設置している有効な災害援助機器を検出してその災害援助機器シンボルを前記通常監視時の色から前記異常時の色とは異なる別の色に変化させるシンボル表示制御部と、
を設けたことを特徴とする防災表示盤。
【請求項２】
請求項１記載の防災表示盤に於いて、前記シンボル表示制御部は、前記地図情報に災害援助機器シンボルを配置した災害援助機器の有効期限を管理し、前記地図情報表示部により前記異常発生場所を含む地図情報が表示された際に、前記異常を検出した防災端末機器の近傍に設置している災害援助機器の有効期限を判別して有効期限が切れていない災害援助機器の災害援助機器シンボルを優先的に前記別の色に変化させることを特徴とする防災表示盤。
【請求項３】
請求項２記載の防災表示盤に於いて、前記シンボル表示制御部は、前記地図情報表示部により地図情報の選択入力に応じて地図情報が表示された際に、有効期限切れの近い災害援助機器を判別してその災害援助機器シンボルの色を前記通常監視時の色から前記異常時の色及び前記別の色とは異なる所定の色に変化させることを特徴とする防災表示盤。
【請求項４】
請求項３記載の防災表示盤に於いて、前記シンボル表示制御部は、前記災害援助機器シンボルを前記所定の色に変化させてから所定時間経過した後に前記通常監視時の色に戻すことを特徴とする防災表示盤。
【請求項５】
請求項１又は２記載の防災表示盤に於いて、更に、前記異常時に前記地図情報表示部により表示された地図情報の中の災害援助機器シンボルに対するカーソルの近接を検出した際に、当該災害援助機器の使用方法を示す取扱い情報を出力するガイダンス処理部を設けたことを特徴とする防災表示盤。
【請求項６】
請求項５記載の防災表示盤に於いて、前記ガイダンス処理部は、前記取扱い情報として静止画又は動画を前記カーソルが近接した災害援助機器シンボルの近傍に再生表示させることを特徴とする防災受信盤。
【請求項７】
センサや発信機等の防災端末機器の検出信号を受信して地図上に異常を表示する防災表示盤の制御方法に於いて、
防排煙機器等の防災制御機器及び前記防災端末機器の設置場所を示す機器シンボルに加え、異常時に使用する消火機器や避難機器等の災害援助機器の設置場所を示す災害援助機器シンボルを配置した監視対象の地図情報をデータベースに登録して管理する地図情報管理プロセスと、
前記異常時に異常発生場所を含む地図情報を前記データベースから読出して液晶ディスプレイ等の画面上に表示する地図情報表示プロセスと、
前記異常時に前記地図情報表示部により表示された地図情報の中の異常を検出した防災端末機器の機器シンボルを通常監視時の色から異常時の色に変化させると共に、前記異常を検出した防災端末機器の近傍に設置している有効な災害援助機器を検出してその災害援助機器シンボルを前記通常監視時の色から前記異常時の色とは異なる別の色に変化させるシンボル表示制御プロセスと、
を設けたことを特徴とする防災表示盤の制御方法。
【発明の詳細な説明】
【技術分野】
【０００１】
本発明は、火災信号等の防災情報を受けて表示装置の画面上に防災端末機器のシンボルを示した建物平面図などの監視対象の地図を表示する防災表示装置及び制御方法に関する。
【背景技術】
【０００２】
従来、この種の防災表示盤は、火災やガス漏れを検知する感知器の検出信号を受信した際に、火災等を検出した発生場所を含む地図を液晶ディスプレイ等の表示画面上に表示している。
【０００３】
この表示画面に表示される地図には、火災感知器を含む各種センサや防排煙ダンパ等の防災制御機器を含む各種防災端末をシンボルで表示しており、その中の火災等の異常を検出した感知器のシンボルを通常監視時とは異なる色でカラー点灯又は点滅表示して火災発生場所を示すようにしている。
【特許文献１】特開平１１−７５９２号公報
【発明の開示】
【発明が解決しようとする課題】
【０００４】
ところで、防災表示盤により防災情報を管理している防災監視システムを設置した施設にあっては、各種センサや制御機器などの防災端末以外に、建物内の所定の場所に消火器や消火栓などの消火機器を配置している。
【０００５】
しかしながら、従来の防災表示盤にあっては、火災発生時に画面上に表示する監視対象の地図上に消火器や消火栓の設置場所を表示することは、慣例的に行われていない。消火器は初期消火に対して非常に有効であるため、その設置位置を把握することは、延焼による被害拡大を防止する上で大変有意義なことである。火災発生時に有意義な他の機器として緩降器などの避難機器がある。
【０００６】
また消火栓や消火器や避難機器は普段操作する機会がほとんどないため、いざ火災が発生した場合など、適切に操作できない事態が考えられる。
【０００７】
本発明は、この点に着目してなされたもので、火災やガス漏れの異常発生時に消火機器や避難機器の災害時の援助機器の設置場所を容易に把握可能として迅速に対応可能とする防災表示盤及び制御方法を提供することを目的とする。
【課題を解決するための手段】
【０００８】
本発明は防災表示装置を提供する。即ち、本発明は、センサや発信機等の防災端末機器の検出信号を受信して地図上に異常を表示する防災表示盤に於いて、防排煙機器等の防災制御機器及び防災端末機器の設置場所を示す機器シンボルに加え、異常時に使用する消火機器や避難機器等の災害援助機器の設置場所を示す災害援助機器シンボルを配置した監視対象の地図情報をデータベースに登録して管理する地図情報管理部と、
異常時に異常発生場所を含む地図情報をデータベースから読出して液晶ディスプレイ等の画面上に表示する地図情報表示部と、
異常時に地図情報表示部により表示された地図情報の中の異常を検出した防災端末機器の機器シンボルを通常監視時の色から異常時の色に変化させると共に、異常を検出した防災端末機器の近傍に設置している有効な災害援助機器を検出してその災害援助機器シンボルを通常監視時の色から異常時の色とは異なる別の色に変化させるシンボル表示制御部と、
を設けたことを特徴とする。
【０００９】
ここで、シンボル表示制御部は、地図情報に災害援助機器シンボルを配置した災害援助機器の有効期限を管理し、地図情報表示部により異常発生場所を含む地図情報が表示された際に、異常を検出した防災端末機器の近傍に設置している災害援助機器の有効期限を判別して有効期限が切れていない災害援助機器の災害援助機器シンボルを優先的に別の色に変化させ、地図情報表示部により地図情報の選択入力に応じて地図情報が表示された際には、有効期限切れの近い災害援助機器を判別してその災害援助機器シンボルの色を通常監視時の色から異常時の色及び別の色とは異なる所定の色に変化させる。
【００１０】
シンボル表示制御部は、災害援助機器シンボルを所定の色に変化させてから所定時間経過した後に通常監視時の色に戻す。
【００１１】
本発明の防災表示装置は、更に、異常時に地図情報表示部により表示された地図情報の中の災害援助機器シンボルに対するカーソルの近接を検出した際に、当該災害援助機器の使用方法を示す取扱い情報を出力するガイダンス処理部を設けたことを特徴とする。
【００１２】
ガイダンス処理部は、取扱い情報として静止画又は動画を各カーソルが近接した災害援助機器シンボルの近傍に再生表示させる。
【００１３】
本発明は防災表示盤の制御方法を提供する。即ち、本発明は、センサや発信機等の防災端末機器の検出信号を受信して地図上に異常を表示する防災表示盤の制御方法に於いて、
防排煙機器等の防災制御機器及び前記防災端末機器の設置場所を示す機器シンボルに加え、異常時に使用する消火機器や避難機器等の災害援助機器の設置場所を示す援助機器シンボルを配置した監視対象の地図情報をデータベースに登録して管理する地図情報管理プロセスと、
異常時に異常発生場所を含む地図情報をデータベースから読出して液晶ディスプレイ等の画面上に表示する地図情報表示プロセスと、
異常時に地図情報表示部により表示された地図情報の中の異常を検出した防災端末機器の機器シンボルを通常監視時の色から異常時の色に変化させると共に、異常を検出した防災端末機器の近傍に設置している有効な災害援助機器を検出してその災害援助機器シンボルを通常監視時の色から異常時の色とは異なる別の色に変化させるシンボル表示制御プロセスと、
を設けたことを特徴とする。
【発明の効果】
【００１４】
本発明によれば、火災などの発生時に画面表示される異常発生場所を含む監視対象の地図に、消火器などの災害援助機器の設置場所を示すシンボルが示され、更に、通常監視時の青から赤に色が変化した機器シンボルに近い災害援助機器シンボルの色が通常監視時の色から別の色に変化して設置場所を強調して示すことができ、火元に最も近い機器の設置場所を知ることで、迅速な初期対応ができ、延焼による被害拡大を防止できたり、人命救助をすることができる。
【００１５】
また通常監視時に監視対象の地図を画面表示すると、地図に示している災害援助機器シンボルの中の有効期限に近いもののシンボルの色が変化して有効期限が近いことを知らせ、有効期限が過ぎる前に機器を交換するといった管理が適切にできる。
【００１６】
更に、消火栓、消火器や避難機器は普段操作する機会がないため、いざ火災が発生した場合など、適切に操作できない事態が考えられるが、火災発生時に監視対象の地図を画面表示すると、静止画又は動画によって使用方法が静止画又は動画により再生出力されて見るだけで理解でき、火災発生時に適切な操作を可能にして初期消火、避難ができる。
【発明を実施するための最良の形態】
【００１７】
図１は本発明による防災監視盤を備えた防災監視システムの説明図である。図１において、防災監視システムは防災受信盤１０を設置し、防災受信盤１０から監視対象となる建物などの警戒区域に対し、伝送路１１を引き出している。
【００１８】
伝送路１１に対し本実施形態にあっては、各種センサとして中継器１４を介して煙感知器１６を接続し、また中継器機能を内蔵したアナログ煙感知器２０とアナログ熱感知器２２を接続している。更に光電式分離型煙感知器２４が設けられる。その他、人が押しボタンを操作して火災信号を送信する発信機やガス漏れ検知器も接続される。
【００１９】
光電式分離型煙感知器２４は発光部２４ａに対し所定の監視距離をおいて受光部２４ｂを分離設置しており、発光部２４ａからの照射により煙に減衰された光を受光して火災を感知する。
【００２０】
また伝送路１１に対しては各種制御機器として、中継器１４を介して防排煙ダンパ１７、地区音響装置１８及びラッチ状態にある防火戸を遮断して閉鎖するラッチレリーズ１９を接続している。もちろん、これ以外にガス漏れ検出器などの各種のセンサや防災制御機器を必要に応じて接続することができる。
【００２１】
防災受信盤１０に対しては本発明による防災表示盤１２が接続されている。防災表示盤１２にはコントローラ２６が設けられ、コントローラ２６に対し液晶ディスプレイ２８、キーボート３０、マウス３２、プリンタ３４、監視区域を撮影するＩＴＶカメラ３６、更に防災監視に必要な各種の音声出力を行うスピーカ３８が設けられている。
【００２２】
防災表示盤１２は防災受信盤１０からの感知器などの火災信号を含む各種センサの防災情報を受信して液晶ディスプレイ２８に表示するとともに、防排煙ダンパなどの防災制御機器の制御情報を送信し、更に各種の防災情報を履歴情報として保存して管理する処理を行う。
【００２３】
このため防災表示盤１２のコントローラ２６にはデータベース４０に加え、コンピュータによるプログラムの実行により実現される機能として、地図情報管理部４２、地図情報表示部４４、シンボル表示制御部４６及びガイダンス処理部４８を設けている。
【００２４】
データベース４０には防災監視盤１０による監視対象となる警戒区域の地図情報を登録して管理している。この地図情報には各種センサ及び防災制御機器の設置場所を示す機器シンボルデータを登録しており、更に本実施形態にあっては、従来慣例的にシンボル表示による設置場所を示していない消火器について消火器の設置場所を示す消火器シンボルを新たに配置した地図情報をデータベース４０に登録している。
【００２５】
地図情報管理部４２は液晶ディスプレイ２８に表示されているメニュー画面を利用した管理者による地図選択情報の入力時、または防災受信盤１０から火災発生情報を受信した際に、対応する地図情報をデータベース４０から読出し、液晶ディスプレイ２８の画面上に表示する。
【００２６】
地図情報表示部４４により液晶ディスプレイ２８に表示される地図には、感知器及び防災制御機器の設置場所を示す機器シンボルに加え、新たに消火器、消火栓の消火機器や避難機器の設置場所を示す災害援助機器シンボルが同時に表示されている。以下、消火器を例として説明する。
【００２７】
シンボル表示制御部４６は火災発生情報の受信時に、地図情報表示部４４により液晶ディスプレイ２８に表示された地図の中の火災発報した感知器シンボルの色を通常監視時の色である「青色」から予め定めた火災発報時の色である「赤色」に変化させて点滅させる。
【００２８】
同時にシンボル表示制御部４６は火災発報した感知器シンボルの近傍に設置している消火器シンボルを検出し、検出した消火器シンボルの色を通常監視時の色である「青色」から別の色、例えば「赤紫色」に変化させて点滅させる。
【００２９】
ここで本実施形態が対象とする防災表示盤の地図に表示するシンボルについては、「総合操作盤の規定」として知られた規約により、そのシンボルと平常時及び作動時の色が予め定められている。しかし、消火器については「総合操作盤の規定」による定めがないことから、この規定に使用していない色として本実施形態にあっては例えば作動時の色として「赤紫色」を使用している。
【００３０】
さらにシンボル表示制御部４６にあっては、新たに地図上に表示する消火器シンボルに対応して消火器の有効期限を管理するようにしている。消火器の有効期限の管理は、液晶ディスプレイ２８のメニュー画面を使用したオペレータによるキーボード３０もしくはマウス３２による地図選択情報の入力を受けて、地図情報表示部４４が選択された地図を液晶ディスプレイ２８に表示した際に、表示した地図に含まれる消火器シンボルについて予めデータベース４０に登録されている消火器ごとの有効期限をチェックし、例えば有効期限までの残り期間が１ヶ月となった有効期限切れの近い消火器を判別し、その消火器シンボルの色を通常監視時の色である「青色」から予め定めた異なる色で、且つ火災発生時の「赤紫色」とは異なる色、例えば「黒色」に変化させて点滅させる。
【００３１】
これによってオペレータは必要に応じて地図を液晶ディスプレイ２８に表示した際に、有効期限に近い消火器シンボルの色が「黒色」に変化して点滅するのを見て、この消火器が有効期限切れの近い消火器であることを知ることができる。
【００３２】
この有効期限切れの近い消火器の表示についてはシンボル色を変化させて点滅させると共に有効期限までの有効日数を表示することが望ましい。またシンボル表示制御部４６で有効期限切れの近い消火器シンボルの色を「黒色」に変化させて点滅させた場合、予め定めた所定時間を経過したら「黒色」による点滅を停止して元の「青色」に戻し、必要以上に消火器期限切れを表示するわずらわしさを解消するようにしている。
【００３３】
ガイダンス処理部４８は、防災受信盤１０からの火災発生情報の受信時に地図情報表示部４４が液晶ディスプレイ２８上に火災発生場所を含む地図を表示した際に、地図に示されている消火栓シンボルまたは消火器シンボルに対するマウス３２の操作によるカーソルの近接を検出した際に、カーソルが近接した消火栓シンボルまたは消火器シンボルの使用方法を含む取り扱い情報であるガイダンス情報を出力する。
【００３４】
ガイダンス処理部４８で出力する消火栓または消火器の使用方法を示すガイダンス情報は、取扱説明文や図形、写真などを表示したガイダンス静止画あるいは使用方法を動画として表示するガイダンス動画のいずれか又はその組合せとする。
【００３５】
図２は本実施形態における防災表示盤のハードウェア構成を示したブロック図である。図２において、防災表示盤１２に設けたコントローラ２６はコンピュータのハードウェア環境で実現されている。
【００３６】
コントローラ２６にはＣＰＵ４９が設けられ、ＣＰＵ４９のバス５０に対しＲＡＭ５１、ＲＯＭ５２、シリアルインタフェース５３、ハードディスクドライブ５４が接続されている。
【００３７】
またコントローラ２６に対する入出力機器として設けた液晶ディスプレイ２８、キーボード３０、マウス３２、プリンタ３４、ＩＴＶカメラ３６及びスピーカ３８についてはそれぞれのデバイスに対応したインタフェース５５、５６、５７、５８、５９、６０を介してＣＰＵ４９のバス５０に接続している。
【００３８】
ハードディスクドライブ５４には図１に示したコントローラ２６の地図情報管理部４２、地図情報表示部４４、シンボル表示制御部４６及びガイダンス処理部４８の機能を実現する為のプログラム及びデータベース４０が格納されている。
【００３９】
防災表示盤１２を電源投入により起動すると、コントローラ２６はＲＯＭ５２のブートコードを用いた初期化診断処理を行った後に、ハードディスクドライブ５４からＯＳをＲＡＭ５１にロードする。そして、ＣＰＵ４９がＲＡＭ５１のＯＳを実行することによりハードディスクドライブ５４からアプリケーションプログラムとしての本実施形態の防災表示処理のためのプログラムがＲＡＭ５１にロードされ、ＣＰＵ４９により実行され、図１のコントローラ２６に示す地図情報管理部４２、地図情報表示部４４、シンボル表示制御部４６及びガイダンス処理部４８としての機能がプログラムの実行により実現される。
【００４０】
図３は本実施形態における火災発生時の地図表示とカーソルを消火器シンボルに近づけた際に再生するガイダンス動画を示した説明図である。
【００４１】
図３（Ａ）は図１に示した防災表示盤１２のコントローラ２６が防災受信盤１０から火災発生情報を受信し、地図情報表示部４４の動作により火災発生場所を含む地図７２を液晶ディスプレイ２８の表示画面７０に表示した状態を示している。
【００４２】
表示画面７０に表示された地図７２は、例えば火災発生階の建物平面図であり、建物平面のレイアウトに加え、センサ及び制御機器となる防災端末の機器シンボルとして、この地図７２にあっては、階段及び廊下を含む左下側の共用スペースに感知器シンボル７４−１〜７４−３及びダンパシンボル７６を配置し、更に本実施形態で新たに加えた消火器シンボル７８を部屋側に表示している。
【００４３】
ここで感知器シンボル７４−１に対応する火災感知器が火災発報していたとすると、火災発報した感知器に対応する感知器シンボル７４−１は通常監視時の「青色」から「赤色」に変化して点滅する。
【００４４】
同時に発報した火災感知器７４−１の近傍に設置している消火器シンボル７８が通常監視時の「青色」から火災発生に伴い「赤紫色」に変化して点滅する。このため表示画面７０に表示された地図７２を見てオペレータは「赤色」に点滅している感知器シンボル７４−１から火災発生場所を知るとともに、その近傍で「赤紫色」に点滅している消火器シンボル７８を見て消火器の設置場所を知り、火災発生現場に出向いて火災発生を確認する際に消火器設置場所を消火器シンボル７８の「赤紫色」の点滅により確認していることから、火災発生現場で火災を確認した場合ただちに消火器設置場所にいって消火器をとり初期消火を迅速にすることができる。
【００４５】
なお、消火器の有効期限が管理されている場合は、有効期限の切れていない消火器を優先的に点滅表示し、火災発生場所に近い消火器であっても有効期限の切れている消火器は火災時には点滅させないようにしても良い。もしくは期限が切れていることを情報として付加して点滅などの表示を変化させても良い。
【００４６】
更に図３（Ａ）の表示画面７０の地図７２について火災発生に伴い「赤紫色」に点滅している消火器シンボル７８に対しマウスの操作によりマウスカーソル８０を例えば矢印Ａのように近づけると、予め定めた範囲に近づいたときに図３（Ｂ）に示すように消火器の使用方法を示す例えば消火器ガイダンス動画８２の再生が開始される。
【００４７】
このため現場確認に向かう前に消火器ガイダンス動画８２を見る事で消火器の使用方法を確認し、現場で火災を確認して初期消火を行う際に適切に消火器を取り扱うことができる。
【００４８】
図４は本実施形態でデータベース４０に登録された地図データファイルを示している。地図データファイル８８はヘッダ９０、地図データ９２、シンボルデータ９４及びガイダンスデータ９６で構成されている。図４の地図データファイル８８は例えば図３に示した地図７２に対応した階別の地図データファイルである。
【００４９】
ヘッダ９０は地図データの管理に必要な種別情報、例えば警戒区域の番号や階数、建物名が格納されている。地図データ９２はＣＡＤで作成された例えば図３の地図７２のようなレイアウトデータである。
【００５０】
シンボルデータ９４は地図データ９２に配置している各種機器の設置場所を示す機器ごとのシンボルデータの集合である。更にガイダンスデータ９６は図３（Ｂ）に示したような火災発生時に表示した地図７２の消火器シンボル７８にマウスカーソル８０を近づけた時に再生する消火器ガイダンス動画８２などを格納したガイダンスデータである。
【００５１】
シンボルデータ９４として例えば感知器シンボルデータ９８と消火器シンボルデータ１００を右側に取り出して示している。
【００５２】
感知器シンボルデータ９８は、シンボル識別子を含むシンボル名、位置座標、図形データ、指定色で構成されている。また消火器シンボルデータ１００はシンボル識別子を含むシンボル名、位置座標、図形データ、指定色に加え更に有効期限を登録している。更に
、消火器シンボルデータ１００の指定色は監視時、火災時にくわえ、有効期限切れ間近の際に使用する指定色を設定している。
【００５３】
このような地図データファイル８８の表示画面に対する表示は、地図データ９２からＲＡＭのメモリ領域として確保されたレイアウトレイヤに地図をレイアウト図形として配置し、同時に、シンボルレイヤにシンボルデータ９４に基づいて各種のシンボルを配置し、レイアウトレイヤとシンボルレイヤを重ねて表示することで、シンボル配置した地図を表示することができる。
【００５４】
またレイアウトレイヤに対しシンボルレイヤを独立に準備しているため、シンボル表示色の変更はシンボルレイヤの書き換えのみで実現でき、レイアウトレイヤは固定的に使用し、書き換えは必要ない。
【００５５】
図５は図４の地図データファイル８８に設けているガイダンスデータ９６の他の例となる消火器ガイダンス静止画を示している。この消火器ガイダンス静止画８４は消火器の操作方法を（１）〜（４）に分けてテキスト文書で示している。
【００５６】
図６は本実施形態で表示する災害援助機器としての屋内消火栓にマウスが近づいたときに表示するガイダンス静止画を示した説明図である。図６の消火栓ガイダンス静止画８６にあっては「屋内消火栓の操作方法」として（１）〜（５）の取扱方法がテキスト文書で表示され、その下に屋内消火栓の扉を閉めた状態と扉を開いた状態の説明図を表示している。
【００５７】
図７は本実施形態による消火器の有効期限切れを管理して消火器シンボルを制御する画面表示を示した説明図である。図７（Ａ）は図１の防災表示盤１２でオペレータが液晶ディスプレイ２８のメニュー画面を使用してキーボード３０もしくはマウス３２により必要とする地図選択情報を入力し、地図情報表示部４４によりデータベース４０から選択された地図７２を液晶ディスプレイ２８の表示画面７０に表示した状態である。
【００５８】
このような表示画面７０に対する地図７２の選択動作に伴う表示を行うと、地図７２の中に配置している消火器シンボル７８について、有効期限切れに近いか否か判別し、有効期限切れに近い場合には図７（Ｂ）に示すように消火器シンボル７８をそれまでの「青色」から「黒色」の点滅に切替え、有効期限切れに近い消火器であることを示す。
【００５９】
このとき消火器シンボルを「黒色」で点滅させるとともに有効期限までの残り日数をその近傍に表示することが前述したように望ましい。これによってオペレータは地図７２を開いた際にシンボル表示されている消火器が有効期限に近いか否か簡単に認識でき、有効期限に達するまでに消火器を交換するための措置をタイミングよくとることができる。
【００６０】
また図７（Ｂ）のように有効期限に近い消火器を示す消火器シンボル７８の黒色の点滅動作は地図７２を画面上に表示してからオペレータが確認するに十分な時間、例えば１０秒後に黒色の点滅を停止して元の青色に戻すようにする。
【００６１】
図８は本実施形態の防災表示盤１２による防災表示処理を示したフローチャートであり、図１を参照して説明すると次のようになる。
【００６２】
図８において、防災表示処理はステップＳ１で防災受信盤１０から火災検出情報の受信による火災発生の有無をチェックしており、火災発生を判別するとステップＳ２に進み、地図情報表示部４４が火災発生場所を含む地図をデータベース４０から読み出して液晶ディスプレイ２８の画面上に表示する。
【００６３】
続いてステップＳ３でシンボル表示制御部４６が例えば図３（Ａ）に示したように火災発報した火災感知器の感知器シンボル７４−１をそれまでの青色から赤色に変化させて点滅させる。
【００６４】
続いてステップＳ４でシンボル表示制御部４６が火災発報した感知器シンボル７４−１にもっとも近い災害援助機器、例えば消火器シンボル７８について、それまでの「青色」から「赤紫色」に変化させて点滅させるシンボル制御を行う。
【００６５】
このような感知器シンボル及び消火器シンボルの制御状態で、地図上の消火栓または消火器のシンボルにステップＳ５でマウスのカーソルが接近したか否か判別しており、カーソルの接近を判別するとステップＳ６に進み、カーソルが接近したシンボルの消火栓または消火器の使用方法のガイダンスを行う。
【００６６】
この使用方法のガイダンスは図３（Ｂ）のようなガイダンス動画、あるいは図５または図６に示したガイダンス静止画によるガイダンスとなる。
【００６７】
続いてステップ７で火災復旧を確認するまでステップＳ６からの処理を繰り返している。ステップＳ７で火災復旧を確認するとステップＳ８でシンボル制御を停止し、元のシンボル色に戻す。また必要があれば画面上の地図表示を終了して初期画面にリターンする。
【００６８】
ステップＳ９でオペレータのキーボードやマウス操作による液晶ディスプレイ２８のメニュー画面を使用した地図選択情報を判別すると、ステップＳ１０で選択された地図を例えば図７（Ａ）に示したように画面表示し、表示された地図に配置されている消火器シンボルに対応した消火器につき、ステップＳ１１で有効期限切れの近い消火器があるか否かチェックする。
【００６９】
このとき有効期限が１ヶ月未満の消火器があった場合にはステップＳ１２に進み、一定時間にわたり図７（Ｂ）に示したように消火器シンボルをそれまでの「青色」から「黒色」に変化させて点滅させるシンボル制御を行う。続いてステップＳ１３で地図画面のクローズを判別すると再びステップＳ１の処理に戻ることになる。
【００７０】
また本発明は防災表示盤１２に設けたコンピュータ、即ち図２のコントローラ２６に示すコンピュータのハードウェア環境により実行される防災監視処理のためのプログラムを提供するものであり、このプログラムは図８のフローチャートの内容をもつ。
【００７１】
尚、上記の実施形態で新たに表示するようにした消火器シンボルの火災発生時及び有効期限切れ間近の際の表示色については、必要に応じて適宜に変えることができる。
【００７２】
また上記の実施形態は防災受信盤１０の伝送路１１に接続されずに監視対象とされていない消火器を、防災表示盤の地図にシンボル表示して管理する場合を例にとるものであったが、消火器以外に同様に防災受信盤１０からの伝送路１１に接続されずに対象となっていない他の防災機器についても、必要に応じて消火器と同様に処理することが可能である。
【００７３】
消火器以外としては避難機器、現地災害情報表示盤などに本発明を適用できる。また、本発明の防災表示は、防災受信盤１０の表示装置で行っても良い。また、地図の例として平面図を使用したが、立面図に本発明を適用しても良い。この場合、シンボルと共に場所名を表示するとなお位置が特定しやすい。
【００７４】
また図４に示したデータベースに格納される地図データファイルのデータ内容は一例にすぎず、必要に応じて適宜のＣＡＤデータを使用しても良い。
【００７５】
異常時として火災感知器からの火災信号を例にとったが、ガス漏れセンサや発信機からの信号に基づいて表示を行うようにしても良い。
【００７６】
また本発明はその目的と利点を損なうことの無い適宜の変形を含み、さらに上記の実施形態による数値による限定は受けない。
【図面の簡単な説明】
【００７７】
【図１】防災監視システムと共に本発明による防災表示盤の実施形態を示したブロック図
【図２】本実施形態における防災表示盤のハードウェア構成を示したブロック図
【図３】本実施形態による火災発生時の地図表示とカーソルを消火器シンボルに近づけた際に再生するガイダンス動画を示した説明図
【図４】本実施形態でデータベースに登録された地図データファイルを示した説明図
【図５】本実施形態で表示する消火器のガイダンス静止画を示した説明図
【図６】本実施形態で表示する屋内消火栓のガイダンス静止画を示した説明図
【図７】本実施形態による消火器期限切れを管理して消火器シンボルを制御する画面表示を示した説明図
【図８】本実施形態による防災表示処理を示したフローチャート
【符号の説明】
【００７８】
１０：防災受信盤
１１：伝送路
１２：防災表示装置
１４，１５：中継器
１６，２０：アナログ煙感知器
１７：防排煙ダンパ
１８：地区音響装置
１９：ラッチレリーズ
２１：防火戸
２２：アナログ熱感知器
２４：光電式分離型煙感知器
２６：コントローラ
２８：液晶ディスプレイ
３０：キーボード
３２：マウス
３４：プリンタ
３６：ＩＴＶカメラ
３８：スピーカ
４０：データベース
４２：地図情報管理部
４４：地図情報表示部
４６：シンボル表示制御部
４８：ガイダンス処理部
７０：表示画面
７２：地図
７４−１〜７４−３：感知器シンボル
７６：ダンパシンボル
７８：消火器シンボル
８０：マウスカーソル
８２：消火器ガイダンス動画
８４：消火器ガイダンス静止画
８６：消火栓ガイダンス静止画
８８：地図データファイル
９０：ヘッダ
９２：地図データ
９４：シンボルデータ
９６：ガイダンスデータ
９８：感知器シンボルデータ
１００：消火器シンボルデータ
【図１】
0005009712.tif 000002
【図２】
0005009712.tif 000003
【図３】
0005009712.tif 000004
【図４】
0005009712.tif 000005
【図５】
0005009712.tif 000006
【図６】
0005009712.tif 000007
【図７】
0005009712.tif 000008
【図８】
0005009712.tif 000009